(57)【要約】【課題】濡れた傘をかけておくことができるとともに、雨が降らず濡れた傘がない時には、しまっておくことができるカウンターを提供する。【解決手段】建物の壁面に取り付けるカウンター本体部とカウンターに収納されるフレームからなり、フレームは引き出し操作により、カウンター底部より下方に引き出され、フレームの引き出し状態で、カウンター上端面とフレームで傘を支持し、フレームには少なくとも１つのフックが設けられ、該フックに環状体を吊り下げることができるカウンターにより解決される。【選択図】    図１
2007275311.tif 000002
【特許請求の範囲】
【請求項１】
建物の壁面に取り付けるカウンター本体部と前記カウンターに収納されるフレームからなり、フレームは引き出し操作により、前記カウンター底部より下方に引き出され、フレームの引き出し状態で、前記カウンター上端面とフレームで傘を支持するカウンター。
【請求項２】
カウンター本体部に収納部が設けられ、該収納部に小物類を収納することができる請求項１に記載のカウンター。
【請求項３】
カウンター上面に保持部を有し、傘の鉤状の柄部が該保持部に支持されることを特徴とする請求項１に記載のカウンター。
【請求項４】
前記フレームに少なくとも１つのフックが設けられ、該フックに環状体を吊り下げることができる請求項1に記載のカウンター。
【請求項５】
住宅の玄関に取り付けられることを特徴とする請求項１乃至請求項５に記載のカウンター。
【発明の詳細な説明】
【技術分野】
【０００１】
本発明は、多目的カウンターに関する。詳しくは、カウンターとしてだけでなく、雨に濡れた傘を一時的に保持することができるカウンターに関する。
【背景技術】
【０００２】
従来、住宅では乾いた傘を収納するシューズボックス等は設置されていても、雨で濡れた傘を一時的に置く場所が、玄関に確保されていなかった。
【０００３】
そのため、雨の日に濡れた傘を直接傘の収納スペースにしまうことができず、専用の傘立てに濡れた傘を立てかけたり、専用の傘立てがない場合には直接、建物の壁に濡れた傘を立てかけている。しかし、専用の傘立てを玄関部におくと傘立ての存在により玄関部のスペースが狭くなってしまうと共に、雨に濡れた傘がない場合には、傘立ては一層邪魔なものとなる。上記の問題を解決するため、傘を収納させるための収納ケースや傘立てが提案されている。
【０００４】
【特許文献１】特開２００２−５１８９７号公報
【特許文献２】特開２００１−３１４３０３号公報
【発明の開示】
【発明が解決しようとする課題】
【０００５】
そこで、濡れた傘がない時には、カウンターとして使用するとともに、雨が降っている日には壁面を濡らすことなく、濡れた傘をかけておくことができるカウンターを提供する。
【課題を解決するための手段】
【０００６】
上記の課題は、建物の壁面に取り付けるカウンター本体部と前記カウンターに収納されるフレームからなり、フレームは引き出し操作により、前記カウンター底部より下方に引き出され、フレームの引き出し状態で、前記カウンター上端面とフレームで傘を支持するカウンターによって解決される。
【０００７】
このカウンターによれば、カウンター本体部とカウンターに収納されるフレームからなり、必要に応じてフレームがカウンター底部より下方へ引き出され、フレームの引き出し状態で、カウンター上端面とフレームで傘を支持することができ、濡れた傘を、カウンター上端面とフレームで支持することになるので、濡れた傘が壁面にあたって壁面を濡らすこともない。
【０００８】
また、濡れた傘がない場合には、フレーム部をカウンター部に収納しておけば、普通のカウンターとして利用できるので、デザイン的にもすっきりとしたものとなる。
【０００９】
また、カウンター本体部に収納部が設けられ、該収納部に小物類を収納できればよい。
【００１０】
カウンター部に収納部を設けることにより、玄関部に置いておくことが多い鍵や印鑑などの小物類を収納する場所を確保することができ、玄関を整理することができ、すっきりとしたものとすることできる。
【００１１】
さらに、カウンター上面に保持部を有し、傘の鉤状の柄部が該保持部に支持されているとよい。
【００１２】
カウンター上面に保持部を有していることで、傘の鉤状の柄部が保持部に確実に引っかかることにより、傘を支持する際に安定して傘を支持することができるようになる。
【００１３】
さらに、フレームに少なくとも１つのフックが設けられており、該フックに環状体が吊り下げることができるようになっているとよい。
【００１４】
フレームに環状体を引っかけることができるフックが設けられていることで、本カウンターは、鉤状の柄部を有する傘だけでなく、鉤状の柄部を有さず、柄部にループ紐を有するだけの例えば折りたたみ式の傘やキーホルダーなどをフックにぶら下げて引っ掛けることができる。
【発明の効果】
【００１５】
本発明の構成は以上のとおりのものであるから、濡れた傘がないときは収納つきのカウンターとして利用でき、雨が降り濡れた傘があるときは壁に密着することなく、ぶら下げておくことのできるタウンターを提供することができる。
【発明を実施するための最良の形態】
【００１６】
次に、本発明の実施最良形態を図面に基づいて説明する。
【００１７】
図１において、１はカウンター、２はカウンター上面部、３はカウンター本体部、４はフレーム、５はフック、６は保持部である。
【００１８】
カウンター１はカウンター上面部２とカウンター本体部３からなる断面視略Ｌ型の形状をしており、カウンター本体部３の背面側にはフレーム４が収納される欠き込み部３１が設けられている。また、カウンター上面部２のカウンター本体部３側の端部にはカウンターの長尺方向に沿って鉤状の傘の柄部８３を引っ掛けることのできる突起からなる保持部６が設けられている。
【００１９】
フレーム４は中央部４１とその両端に屈曲して接続するフレーム挿入部４２からなる略コの字型の形状で、中央部には任意の間隔を空けて、フレーム中央部４１に対しフレーム挿入部４２と同じ向きにフック５が設けられている。フレーム挿入部４２は、カウンター本体部３に進退自在に収容されるようになっており、カウンター本体部３の内部には図示しないストッパーが形成され、フレームが進出状態で抜けないようにされているとともに、収容状態で固定されるようになされている。
【００２０】
カウンター１はカウンター上面部２の端部を壁面７にビス等により固定されて、壁面７に取り付けられる。
【００２１】
次に、本カウンターの使用方法について説明する。図２（イ）及び（ロ）はそれぞれ、フレーム４がカウンター本体部３に収納された状態を示す断面図、正面図である。フレーム４の収納状態では、壁面７にカウンター１が取り付けられているだけであるので、濡れた傘がないときなど、通常のカウンターとして使用でき、カウンターの上に物を置いたり、後述するカウンター設けられた収納部１４に鍵や印鑑など玄関に置いておくと便利な小物類をしまっておく場所として利用することができる。
【００２２】
雨が降った日など、濡れた傘を持ち帰った場合は、図２（ロ）に示すように、カウンター本体部３の底部よりフレーム４を下方へ引き出す。引き出されたフレーム４は、カウンター本体部３の内部には図示しないストッパーが形成され、フレーム４が引き出し状態で固定され抜けることはない。
【００２３】
このフレーム４の引き出し状態で、雨に濡れた傘をカウンター上端面２とフレーム４で支持する。つまり、図３（イ）に示すように、フレーム４をカウンター本体部３に収納したままの状態で雨に濡れた傘８をカウンター上端面２だけで支持をすると、傘８の重心と傘８を支持する支点の関係で傘８の角度が床面１０に対して斜めになり、傘の先端部８２や傘の本体部８１が壁面７に当接し、傘８についた水滴は傘の先端部８２や傘の本体部８１を伝って壁面へ流れていき、壁面７を濡らしてしまう。
【００２４】
これに対し、図３（ロ）に示すように、フレーム４をカウンター本体部３から引き出した状態でカウンター上端面２とフレーム４で傘８を支持すると、傘８を支える支点がカウンター上端面２とフレーム４の２ヶ所あるため、傘８の角度が床面１０に対して略垂直に保つことができ、傘８についた水滴は、直接床面に落ちるため、傘の先端部８１や傘の本体部８２が壁面７に当接し、雨が傘８を伝って壁面へ流れ、壁面を濡らすこともない。
【００２５】
特に、カウンター上面部２の端部には保持部６が設けられているため、傘の鉤状の柄部８３が保持部６に確実に引っかかることにより、傘８を支持する際に安定して傘８を保持することができるようになる。なお、１０は床面９に載置した水受けであり、水滴が落ちる位置に設けることにより、床面９を濡らすことなく、傘８についた水滴を回収することができる。
【００２６】
さらに、フレーム４の中央部４１には任意の間隔を空けて、フレーム中央部４１に対しフレーム挿入部４２と同じ向きにフック５が設けられている。このフックは環状体を引っ掛けることがきで、このフックにループ紐１２を引っ掛けることで、折りたたみ傘１１のように鉤状の柄部がなく柄部にループ紐が取り付けられている傘などを吊るすことができる。また、常にフレーム４をカウンター本体部３から引き出し状態にしておき、傘以外のもの例えば、キーホルダーなどを引っ掛けておくことも可能である。図４にフック５にループ紐１２が柄部についた折りたたみ傘１１を吊るした状態を示す。
【００２７】
カウンターから進出自在にフレーム４を動かす機構とすることで、傘を立てかける必要のないときは、カウンター本体部３にフレームを収納状態にし、通常のカウンターをして使用できるため、特別の傘立てを設けるように不要時に場所をとったりすることもなく、玄関周りのデザインをすっきりとしたものにできるとともに、雨が降って傘を立てかける必要のあるときは、カウンター本体部３からフレーム４を引き出し状態にすることで、傘をカウンター上端面２とフレーム４とで支持することができ、壁面７を傘についた水滴で濡らすことなく、傘を整頓して立てかけることができる。なお、傘が乾燥した後は、傘をきれいに折りたたみ、シューズボックス等のスペースに傘をしまうのはいうまでもない。
【００２８】
次に本発明の第２実施形態について説明する。図５において、１４はカウンター本体引出し部である。なお、第１実施形態と同一の構成は同一の符号を用いてその説明を省略する。カウンター本体引出し部１４は、カウンター上端部２に対して壁面に対して引き出し可能に取り付けられ、中に小物類を収納できる。また、フレーム４はカウンター本体引出し部１４の前面部１５に進退自在に収容されるようになっており、カウンター本体引出し部１４の前面部１５には図示しないストッパーが形成され、フレームが進出状態で抜けないようにされているとともに、収容状態で固定されるようになされている。
【００２９】
また、カウンターがそれぞれユニットになっており、設置場所の形態に応じて連接して設置することで、任意の幅のカウンターを設けることができる。図５に示す第２実施形態では収納部を有するカウンターユニット、収納部を有しないカウンターユニット、収納部を有するカウンターユニットを端から順に３個連接して壁面に取り付けられている。フレームの収納状態では、壁面に３個のカウンターユニットが連接して設置されているだけであるので、濡れた傘がないときなど、通常のカウンターとして使用でき、カウンターの上に物を置いたり、カウンター本体部に設けられた収納部に鍵や印鑑など玄関に置いておくと便利な小物類をしまっておく場所として利用することができる。
【００３０】
次に本発明の第３実施形態について説明する。図６に示す第３の実施形態ではフレームは２つのフレーム１６、１７から構成されており、フレーム１６は直線部材からなり、フレーム１６の一方の端部はカウンター本体部内に設けられたヒンジ１８により回動可能に係合されフレーム１６がカウンター本体部２の内部に収納状態から引き出し状態まで回動することができるとともに、図示しないストッパーが形成され、フレーム１６が収納状態及び引き出し状態で固定されるようになされている。
【００３１】
また、フレーム１６の他方の端部はフレーム１７と回動可能はヒンジ１９により回動可能に係合されている。フレーム１７は直線の部材からなる本体部から垂直に任意の間隔を空けてフック５が設けられている。
【００３２】
カウンター本体部２の内部に収納状態にあるフレーム１６、１７をヒンジ１８を中心に回動させると共に、ヒンジ１９を中心にフレーム１７を回動させることによりフレーム１６、１７を引き出し状態にすることができる。この状態でフレーム１６、１７は図示しないストッパーにより固定されるので、引き出し状態を維持することができ、カウンター上面部２とフレーム１７により傘の支持することができる。
【００３３】
以上に、本発明の実施形態を示したが、本発明はこれに限られるものではなく、発明思想を逸脱しない範囲で各種の変更が可能である。また、本発明ではカウンターの意味は単に物を載せる台としてだけでなく、デザイン上の装飾部材も含む意味で使用している。カウンターの形状は上記の実施形態に限定されるわけではなく、手すり型などさまざまなタイプが可能でありカウンターとしての機能だけでなく、手すりとしても使用できるように、握りやすい形状となっていてもよい。
【００３４】
また、保持部は本実施形態ではカウンターの長尺方向に沿って鉤状の傘の柄部を引っ掛けることのできる突起からなる保持部について示したがこの形態に限定されるだけでなく、カウンター上に設けられた窪みやスリットであってもよく、要は鉤状の傘の柄部を保持できる形態であればよい。
【００３５】
また、フレームはカウンター本体部から進出自在に取り付けられていればよく、発明の実施形態で示した他、カウンター本体部下端と平行な軸に対して回動することでフレームが進出自在に取り付けられるなどその機構に制限はない。
【００３６】
また、カウンターやフレームの材質は、木材、樹脂、金属など材質は限定なく、カウンターとして、デザイン、機能を果たすものであればよいことはいうまでもない。
【図面の簡単な説明】
【００３７】
【図１】（イ）、（ロ）はそれぞれ本発明のカウンターを示す斜視図である。
【図２】（イ）、（ロ）はそれぞれフレームをカウンターに収納した状態を示す側面図及び正面図、（ハ）（ニ）はそれぞれフレームを引き出した状態を示す側面図、正面図である。
【図３】（イ）は、フレームをカウンターに収納した状態で傘を支持した状況を示す側面図、（ロ）はフレームをカウンターから引き出した状態で傘を支持した状況を示す側面図である。
【図４】カウンターにループ紐（環状体）のついた折りたたみ傘を吊るした状態を示す斜視図である。
【図５】（イ）は、本発明の第２の実施形態を示す正面図、（ロ）はＡ−Ａ´線断面図、（ハ）はＢ−Ｂ´線断面図、（ニ）はＣ−Ｃ´線断面図、（ホ）は斜視図である。
【図６】（イ）、（ロ）はそれぞれ本発明の第３の実施形態を示す正面図である。
【符号の説明】
【００３８】
１・・・カウンター
２・・・カウンター上面部
３・・・カウンター本体部
４・・・フレーム
５・・・フック
６・・・保持部
７・・・壁面
８・・・傘
１２・・・ループ紐（環状体）
１４・・・収納部
８３・・・傘の鉤状の柄部
【図１】
2007275311.tif 000003
【図２】
2007275311.tif 000004
【図３】
2007275311.tif 000005
【図４】
2007275311.tif 000006
【図５】
2007275311.tif 000007
【図６】
2007275311.tif 000008